(57)【要約】  【課題】複数のＣＨカードに対して集中的に同一周波数の呼が設定されるような現象が発生する際に、呼損の防止を図ると共に資源の効率的利用を図ることができる無線基地局装置の呼処理制御装置を提供する。  【解決手段】基地局の呼処理制御部に対して呼の設定と解放を実現するために、複数のベースバンド機能を有するＣＨカードを有する。これはリソースに対して、呼の割り当てと解除といったリソース管理が行なわれるもので、ＣＨカード群３のそれぞれがリソース設定部２に接続され、送信制御部４から出力される送信停止と開始要求の制御信号のそれぞれによって送信の停止と開始が制御される。また、リソース管理／再同期判定部１が設けられ、リソース設定部２に対して呼設定要求の指令が、リソース設定部２から出力される応答信号に対応して実行され、これと同時的に出力される再同期判定結果に対応して前述の送信停止／開始要求の制御信号が出力される。【選択図】図１
2006013691.tif 000002
【特許請求の範囲】
【請求項１】
複数のＣＨカードより構成されるＣＨカード群のリソースに対して、上位装置より設定された呼を割り当てを行うと共に、前記ＣＨカード群の使用状況を調査して設定された呼をその内容に応じて他のＣＨカードに移動させて前記ＣＨカード群のリソースを再配置して新たな呼用にＣＨカードのリソースを確保する無線基地局装置の呼処理制御装置であって、
前記無線基地局装置が、複数の前記ＣＨカードに対して同一な周波数の呼が集中的に設定されていることを検知したときに、無線端末に対して前記周波数とは異なる周波数で再同期動作を実行することを特徴とする無線基地局装置の呼処理制御装置。
【請求項２】
前記再同期動作の実行は、現在受信しているチャンネルの受信レベルが一定以下のときに、バンドサーチを実施して別キャリアに再接続する端末動作を実行するように制御することを特徴とする請求項１に記載の無線基地局装置の呼処理制御装置。
【請求項３】
前記再同期動作の実行は、現在受信しているチャンネルの受信レベルが一定以下のときに、ＰＣＰＩＣＨの送信レベルを制御することを特徴とする請求項１に記載の無線基地局装置の呼処理制御装置。
【請求項４】
前記無線基地局装置の配下の前記無線端末の全てが前記再同期動作の機能を実装していることを特徴とする請求項１乃至請求項３のいずれかに記載の無線基地局装置の呼処理制御装置。
【請求項５】
前記基地局に設定されている各周波数に関して、以下の条件１〜５を同時に満たすかどうかを判定し、次の条件１〜５：
（条件１）周波数ｆの呼が設定されているＣＨカードの全リソース総数／ＣＨカード群の全リソース数がαより小か等しいか。
（条件２）周波数ｆ以外の周波数のそれぞれについて、空きリソース総数が、周波数ｆの呼が設定されているリソース総数＋β
（条件３）上位装置（ＲＮＣ）より設定された呼の周波数が過去δ回、周波数ｆである確率がγより大か等しいか。
（条件４）前回に異周波数の再同期動作が実施されてから、上位装置（ＲＮＣ）から設定された呼の回数がω（初期値はω＝０とする）より大か等しいか。
（条件５）ＣＨカード群の各ＣＨカード共に１つ以上の呼が存在する。
なお、α、β、γ、δ、ωは、ユーザー設定値で、αの範囲は０から１、βの範囲は０からＣＨカード群３の全リソース数まで、γの範囲は０から１を満たす周波数が存在した場合に異周波再同期動作を実施すべきと判定し、複数条件を満たす周波数が存在した場合には、１番始めに確認できた周波数を使用することを特徴とする請求項１乃至請求項３のいずれかに記載の無線基地局装置の呼処理制御装置。
【請求項６】
前記基地局に設定されている各周波数に関して、送信制御部では、リソース管理／再同期判定部より再同期判定結果を受け、所定のセクタのＰＣＰＩＣＨについて前記ＣＨカード群へ送信停止要求を通知し、所定時間後に送信開始要求を前記ＣＨカード群へ通知することを特徴とする請求項１乃至請求項３のいずれかに記載の無線基地局装置の呼処理制御装置。
【発明の詳細な説明】
【技術分野】
【０００１】
本発明は、無線基地局装置の呼処理制御装置に関し、特に、無線基地局配下の全端末が異周波再同期動作の機能を実装している端末を対象とした無線基地局装置に用いて好適な呼処理制御装置の改良に関する。
【背景技術】
【０００２】
一般に、ＩＭＴ２０００方式等の無線基地局装置における呼処理の制御は、ベースバンド機能を有するカード（以下、ＣＨカードという）の周波数に応じたリソースに対して、呼の割り当てが実施されている。
【０００３】
例えば、[特許文献１]に開示されているように、複数のＣＨカードでなるＣＨカード群を有して無線基地局装置を構成し,それぞれのＣＨカードに対して割り当てられてベースバンド信号処理を行うと共に、要求された呼に対し、前記ＣＨカード群のリソースの割り当てを行ない、ＣＨカード群の使用状況を調査して設定された呼をその内容に応じて他のＣＨカードに移動させて前記ＣＨカード群のリソースを再配置して新たな呼用にＣＨカードのリソースを確保するように構成されている。
【０００４】
この場合、再配置を実行するためのアルゴリズムは、線形計画法、例えば次のような３つの状態に基づいて実行される。
【０００５】
(１)新たに設定したい呼が新規設定なのか、ＨＨＯによるものかを判断する。
【０００６】
(２)新規設定またはＨＨＯに対応して所定の線形計画問題を解く。
【０００７】
(３)線形計画法の解が求まれば、その解が再配置後の状態であり再配置可能とし、解が求まらなければ再配置不可とする。
【特許文献１】特開２００４−３２６１０号公報（図１、[００１９]〜[００２１]、[００３９]に開示）
【発明の開示】
【発明が解決しようとする課題】
【０００８】
従来の無線基地局装置の呼処理制御装置は、上位装置（ＲＮＣ）より短期間に集中的に周波数αの呼が設定されると、呼の設定と解放が繰り返された結果、周波数α以外の呼を設定できる空きリソースは十分にあるものの、周波数αの呼を設定できる空きリソースが少なくなってしまった状況下では、リソース不足による呼損が、すぐに周波数αについて発生してしまうという問題がある。
【０００９】
そこで、本発明の目的は、複数のＣＨカードに対して集中的に同一周波数の呼が設定されるような現象が発生する際に、呼損の防止を図ると共に資源の効率的利用を図ることができる無線基地局装置の呼処理制御装置を提供することにある。
【課題を解決するための手段】
【００１０】
前述の課題を解決するため、本発明による無線基地局装置の呼処理制御装置は、次に列挙する特徴的な構成を採用している。
【００１１】
（１）複数のＣＨカードより構成されるＣＨカード群のリソースに対して、上位装置より設定された呼を割り当てを行うと共に、前記ＣＨカード群の使用状況を調査して設定された呼をその内容に応じて他のＣＨカードに移動させて前記ＣＨカード群のリソースを再配置して新たな呼用にＣＨカードのリソースを確保する無線基地局装置の呼処理制御装置であって、
前記無線基地局装置が、複数の前記ＣＨカードに対して同一な周波数の呼が集中的に設定されていることを検知したときに、無線端末に対して前記周波数とは異なる周波数で再同期動作を実行する無線基地局装置の呼処理制御装置。
【００１２】
(２)前記再同期動作の実行は、現在受信しているチャンネルの受信レベルが一定以下のときに、バンドサーチを実施して別キャリアに再接続する端末動作を実行するように制御する上記(１)の無線基地局装置の呼処理制御装置。
【００１３】
(３)前記再同期動作の実行は、現在受信しているチャンネルの受信レベルが一定以下のときに、ＰＣＰＩＣＨの送信レベルを制御する上記(１)の無線基地局装置の呼処理制御装置。
【００１４】
(４)前記無線基地局装置の配下の前記無線端末の全てが前記再同期動作の機能を実装している上記(１)乃至(３)のいずれかの無線基地局装置の呼処理制御装置。
【００１５】
(５)前記基地局に設定されている各周波数に関して、以下の条件１〜５を同時に満たすかどうかを判定し、次の条件１〜５：
（条件１）周波数ｆの呼が設定されているＣＨカードの全リソース総数／ＣＨカード群の全リソース数がαより小か等しいか。
（条件２）周波数ｆ以外の周波数のそれぞれについて、空きリソース総数が、周波数ｆの呼が設定されているリソース総数＋β
（条件３）上位装置（ＲＮＣ）より設定された呼の周波数が過去δ回、周波数ｆである確率がγより大か等しいか。
（条件４）前回に異周波数の再同期動作が実施されてから、上位装置（ＲＮＣ）から設定された呼の回数がω（初期値はω＝０とする）より大か等しいか。
（条件５）ＣＨカード群の各ＣＨカード共に１つ以上の呼が存在する。
なお、α、β、γ、δ、ωは、ユーザー設定値で、αの範囲は０から１、βの範囲は０からＣＨカード群３の全リソース数まで、γの範囲は０から１
を満たす周波数が存在した場合に異周波再同期動作を実施すべきと判定し、複数条件を満たす周波数が存在した場合には、１番始めに確認できた周波数を使用する上記（１）乃至（３）のいずれかの無線基地局装置の呼処理制御装置。
【００１６】
(６)前記基地局に設定されている各周波数に関して、送信制御部では、リソース管理／再同期判定部より再同期判定結果を受け、所定のセクタのＰＣＰＩＣＨについて前記ＣＨカード群へ送信停止要求を通知し、所定時間後に送信開始要求を前記ＣＨカード群へ通知する上記(１)乃至(３)のいずれかの無線基地局装置の呼処理制御装置。
【発明の効果】
【００１７】
本発明による無線基地局装置の呼処理制御装置は、呼の設定と解放が繰り返された結果、周波数α以外の呼を設定できる空きリソースは十分にあるものの、周波数αの呼を設定できる空きリソースが少なくなってしまった状況下に、集中的に同一周波数の呼が設定されるような現象が発生した場合の呼損を防止できる。
【発明を実施するための最良の形態】
【００１８】
即ち、ＰＣＰＩＣＨの送信レベルを制御することで、基地局装置が端末の異周波再同期動作が実施されるよう制御しているもので、短期間に集中的に同一周波数の呼が設定され、図２や図３に示す状況が発生した場合、従来は、異周波数の新たな呼が割り当てることができないものの、本発明によれば、異周波数の呼が周波数αの呼として再設定されるのでさらに異なる周波数の新たな呼を割り当てることができる。
【実施例１】
【００１９】
本発明の実施の形態による無線基地局装置の呼処理制御装置を［実施例１］として図１乃至図５を用いて説明する。なお、この例は、ＩＭＴ２０００方式で構成されている無線基地局装置に本発明を適用した例である。
【００２０】
図１に示す無線基地局装置の呼処理制御装置は、基地局の呼処理制御部に対して呼の設定と解放を実現するために、複数のベースバンド機能を有するカード（以下ＣＨカードと称する）を有し、このＣＨカードはそのリソースに対して、呼の割り当てと解除といったリソース管理が行なわれるものであり、複数（ｎ個）のＣＨカード１、２、３・・・（ｎ−２）、（ｎ−１）、ｎでなるＣＨカード群３のそれぞれがリソース設定部２に接続され、送信制御部４から出力される送信停止と開始要求の制御信号のそれぞれによって送信の停止と開始が制御される。
【００２１】
また、リソース管理／再同期判定部１が設けられ、リソース設定部２に対して呼設定要求の指令が、リソース設定部２から出力される応答信号に対応して実行され、これと同時的に、リソース管理／再同期判定部１から出力される再同期判定結果に対応して前述の送信停止／開始要求の制御信号が出力されるように構成される。
【００２２】
さらに、リソース管理／再同期判定部１には上位装置（ＲＮＣ）から出力される呼設定要求の制御信号が入力が、当該の上位装置（ＲＮＣ）から出力される応答信号に対応して実行される。
【００２３】
ここで、ＣＨカード群３の中の１つのＣＨカードに１つの周波数の呼しか設定できない従来の基地局装置では、集中的に同一周波数（以下周波数αと言う）の呼が設定されるような現象が発生した場合には、例えば図２に４つのＣＨカードで示すように、周波数ＲＦ１の呼が設定されているリソース（符号ａ）と、周波数ＲＦ２の呼が設定されているリソース（符号ｂ）と、呼が設定されていないリソース（符号ｃ）のような状況下、即ち、設定／解放が繰り返された結果、周波数α以外の呼を設定できる空きリソースは十分にあるが、周波数αの呼を設定できる空きリソースが少なくなってしまった状況下では、リソース不足による呼損が、すぐに周波数αについて発生してしまう。
【００２４】
詳しくは、基地局のＣＨカードが４枚実装されており、各ＣＨカードには前述の通りに各ＣＨカードに呼が設定されており、必要なリソースが占有され、また１つのＣＨカード当たりのリソース数は４とすると、この時、ＣＨ１、２、３には周波数ＲＦ１の呼のみが、ＣＨ４にはＲＦ２の呼のみが設定される。
【００２５】
これは１つのＣＨカードに１つの周波数の呼しか設定できない基地局であるためである。
【００２６】
一方、図２に示す状況下で、図３に示すように周波数がＲＦ２の呼（符号ｂ）が一遍に（集中的に）３つ、短期間に上位装置より設定される場合には、さらに周波数がＲＦ２の呼が設定されると呼損が発生してしまう。
【００２７】
即ち、各ＣＨカードには同一周波数の呼しか設定できないという制約があるために、周波数がＲＦ１の呼を設定できるリソースが多くあるにも関わらず呼損が発生してしまい、ＣＨ１〜ＣＨ３には呼設定されていないリソースがあるにも関わらず、ＣＨ４に設定することになるが、空きがない為、設定しようとした呼は呼損となってしまうのである。
【００２８】
図３に、示す状況下であった場合には、（条件１）α＝０．２５、（条件２）β＝４、（条件３）γ＝０．７５、（条件４）δ＝３、（条件５）ω＝１０、Ｔ１＝３０、Ｔ２＝１００で、セクタｎが全セクタであると設定すると、周波数がＲＦ２の呼びは条件１〜５を満たし、本発明のアルゴリズム１、２により、端末の異周波再同期動作機能が図４に示すような状況で動作し、図５に符号ｄで示すように、周波数がＲＦ２の呼は周波数がＲＦ１の呼としてＣＨ１〜ＣＨ３に再設定される。
【００２９】
この状況下においては、さらに、周波数がＲＦ２の呼が上位装置（ＲＮＣ）より通知されてもＣＨ４のリソースに空きがあるので、呼損とならず、呼設定可能となる。
【００３０】
リソース管理／再同期判定部１は、上位装置（ＲＮＣ）より通知された呼設定の受付けと呼設定をリソース設定部２に通知し、ＣＨカード群３のリソース状況の把握を行い、リソース状況をリソース設定部２から受け取る。
【００３１】
このとき、呼設定が可能ならばＡＣＫ信号を上位装置（ＲＮＣ）に通知し、設定不可ならばFailure信号を上位装置（ＲＮＣ）に通知し、設定可能／不可の判断はリソース設定部２によって行われ通知される。
【００３２】
また、異周波再同期動作を実施すべきかどうかの判定は、後述のアルゴリズム１に基づき判定を行ない、送信制御部４への判定結果の通知を実施する。
【００３３】
次にリソース設定部２では、リソース管理／再同期判定部１より通知された呼設定を実施するのに必要なリソースがＣＨカード群３に存在するかの判定を行い、リソースが存在するならば、そのリソースに呼を割り当て、呼が割り当て可能であれば、設定可能であることをリソース管理/再同期判定部１に通知すると共に、ＣＨカード群３のリソース設定状況もリソース管理／再同期判定部１に通知する。
【００３４】
なお、呼が割り当て不可であれば、リソース管理／再同期判定部１に設定不可であることを通知する。
【００３５】
次に、ＣＨカード群３は、ベースバンド機能を有するＣＨカードの集合体であり、ＣＨカードは複数のリソースにより構成される。
【００３６】
ＣＨカード群３の１つのカードには、１つの周波数の呼しか設定できないという制約があるものとし（１つのカード内に異なる周波数の呼を設定できないものとする）、リソース設定部２により必要なリソースを割り当てられることで、無線回線の設定／維持を行う。
【００３７】
送信制御部４より送信停止要求が通知されることによって、決められたＰＣＰＩＣＨを停止し、送信制御部４より送信開始要求を通知されることによって、停止したＰＣＰＩＣＨを送信開始し、最後に、送信制御部４では、リソース管理／再同期判定部１より再同期判定結果を受け付ける。
【００３８】
後述のアルゴリズム２に基づき、ＣＨカード群３へ送信停止要求を通知し、この送信停止要求をＣＨカード群３に通知後に、ＣＨカード群３へ送信開始要求を通知する。
【００３９】
そして、上位装置（ＲＮＣ）より新たに呼設定要求がなされたとすると、リソース管理／再同期判定部１において、これを受け付け、その呼設定をリソース設定部２に通知し、次にリソース設定部２では、リソース管理／再同期判定部１より通知された呼を設定する為に必要なリソースがＣＨカード群３に存在するか否かを判定する。
【００４０】
リソースが存在するならば、そのリソースに呼を割り当て、その判定及び割り当て方は従来から使用されているアルゴリズムを使用する。また、リソース管理／再同期判定部１に設定可能であることを通知する。
【００４１】
このとき、ＣＨカード群３のリソース状況もリソース／再同期判定部１に通知し、もし、呼が割り当て不可であれば、リソース管理／再同期判定部１に設定不可であることを通知し、リソース管理／再同期判定部１では、リソース設定部１２より通知された設定可能と不可の状態に応じて、上位装置（ＲＮＣ）に応答を返す（呼設定可能ならばＡＣＫ信号を、設定不可ならばFailure信号を返す）。
【００４２】
この後、リソース管理／再同期判定部１では、リソース設定部２より通知されたリソース状況により、異周波再同期動作を実施すべきかどうかを判定し、この判定は、次に示すアルゴリズム１に基づいて行なわれ、その判定結果は、送信制御部４へ通知される。
【００４３】
アルゴリズム１の内容は、基地局内に設定されている各周波数に関して、以下の条件１〜５を同時に満たすかどうかを判定し、条件１〜５を満たす周波数が存在した場合に異周波再同期動作を実施すべきと判定し、複数条件を満たす周波数が存在した場合には、１番始めに確認できた周波数を使用する。
【００４４】
（条件１）周波数ｆの呼が設定されているＣＨカードの全リソース総数／ＣＨカード群３の全リソース数がαより小か等しいか。
【００４５】
（条件２）周波数ｆ以外の周波数のそれぞれについて、空きリソース総数が、周波数ｆの呼が設定されているリソース総数＋β
【００４６】
（条件３）上位装置（ＲＮＣ）より設定された呼の周波数が過去δ回、周波数ｆである確率がγより大か等しいか。
【００４７】
（条件４）前回に異周波数の再同期動作が実施されてから、上位装置（ＲＮＣ）から設定された呼の回数がω（初期値はω＝０とする）より大か等しいか。
【００４８】
（条件５）ＣＨカード群３の各ＣＨカード共に１つ以上の呼が存在する。
【００４９】
なお、α、β、γ、δ、ωは、ユーザー設定値で、αの範囲は０から１、βの範囲は０からＣＨカード群３の全リソース数まで、γの範囲は０から１である。
【００５０】
次に、送信制御部４では、リソース管理／再同期判定部１より再同期判定結果を受け、以下のアルゴリズム２に基づき、ＣＨカード群３へ送信停止要求の信号、および送信開始要求の信号を通知する。
【００５１】
アルゴリズム２は、セクタＮのＰＣＰＩＣＨについてＣＨカード群３へ送信停止要求を通知し、Ｔ１秒後に送信開始要求をＣＨカード群３へ通知する。このセクタｎとは、基地局でサポートしているセクタの中から任意に選択された複数のセクタを表している。Ｔ１とｎはユーザー設定値である。
【００５２】
なお、送信制御部４は、リソース管理／再同期判定部１から再同期判定の結果を受けても、前回動作してからＴ２秒の間を経過していないと動作しないものとする（Ｔ２はユーザー設定値で、初回はＴ２＝０）。
【００５３】
ＣＨカード群３では、送信制御部４より送信停止要求の信号を通知されることで、セクタｎのＰＣＰＩＣＨを停止し、その後、送信制御部４より通知される送信開始要求を停止したＰＣＰＩＣＨを送信開始する。
【図面の簡単な説明】
【００５４】
【図１】本発明の実施の形態による［実施例１］の無線基地局装置の呼処理制御装置のブロック回路図である。
【図２】図１に示される無線基地局装置の呼処理制御装置の動作説明のための第１の模式図である。
【図３】図１に示される無線基地局装置の呼処理制御装置の動作説明のための第２の模式図である。
【図４】図１に示される無線基地局装置の呼処理制御装置の動作説明のための第３の模式図である。
【図５】図１に示される無線基地局装置の呼処理制御装置の動作説明のための第４の模式図である。
【符号の説明】
【００５５】
１  リソース管理／再同期判定部
２  リソース設定部
３  ＣＨカード群
４  送信制御部
【図２】
2006013691.tif 000003
【図３】
2006013691.tif 000004
【図４】
2006013691.tif 000005
【図５】
2006013691.tif 000006
【図１】
2006013691.tif 000007